(57)【特許請求の範囲】
【請求項１】
鉄道車両の壁板または天井板であって、
板状かつ発泡樹脂製の芯材層と、
前記芯材層の両面に配置された第一及び第二の板材と、
前記芯材層と前記第一及び第二の板材とをそれぞれ接着するとともに、前記第一の板材と前記芯材層との接合部及び、前記第二の板材と前記芯材層との接合部との少なくとも一方の接合部に介在し、ヤング率が０．５ＭＰａ以上１０ＭＰａ以下であり、かつ厚さが０．１ｍｍ以上２．０ｍｍ以下である弾性材層と、
を含み、
前記弾性材層が振動低減層として機能し、かつ前記弾性材層が接着層を兼ね、
前記芯材層の発泡倍率は５倍以上３０倍以下であり、
前記芯材層の圧縮強度は０．１ＭＰａ以上であり、
前記弾性材層の厚さに対する前記板材の厚さの比は０．２以上３０以下、前記芯材層の厚さに対する前記弾性材層の厚さの比は０．００３以上０．３５以下であることを特徴とする鉄道車両の壁板または天井板。
【請求項２】
前記弾性材層は、ウレタン系接着剤層、シリコン系接着剤層、変性シリコン系接着剤層、エポキシ系接着剤層、アクリル系接着剤層、天然ゴム系接着剤層、合成ゴム系接着剤層のいずれか一つからなる請求項１記載の鉄道車両の壁板または天井板。
【請求項３】
前記芯材層は、アクリル、ポリプロピレン、ポリエチレン、ウレタン、クロロプレンゴム、ＳＢＲ（スチレンブタジエンゴム）、天然ゴム、合成ゴム、木材、フェノール樹脂、塩化ビニルのいずれか一つからなる請求項１記載の鉄道車両の壁板または天井板。
【請求項４】
前記板材は金属板である請求項１記載の鉄道車両の壁板または天井板。
【請求項５】
前記芯材層の周辺には、その芯材層と略同一の厚さの、中空のフレームが配置され、前記第一及び第二の板材がそのフレームを挟み、前記弾性材層により前記フレームと前記第一及び第二の板材とが接着される請求項１記載の鉄道車両の壁板または天井板。
【請求項６】
前記第一及び第二の板材のうち一方の板材が周縁側に突出して、隣接する板状の部材との接合部が形成されることを特徴とする請求項１記載の鉄道車両の壁板または天井板。
【請求項７】
前記鉄道車両のデッキ及び客室の境界を構成し、かつ内部に自動ドアが組み込まれている境界部分の、壁板に用いられる請求項１記載の鉄道車両の壁板。
【請求項８】
前記鉄道車両の妻部の内壁に用いられる請求項１記載の鉄道車両の壁板。
【発明の詳細な説明】
【技術分野】
【０００１】
本発明は鉄道車両の壁板または天井板に関するものである。より詳しくは、走行車両の振動が客室へ伝わりにくい鉄道車両の壁板または天井板に関する。
【背景技術】
【０００２】
新幹線等の高速車両に使用される壁板や天井板は、車両の速度向上を図るために軽量化が求められる一方、車内の空調管理のために高い断熱性が要求されている。これらの要求を満たすため、従来の壁板や天井板には主として、図９の断面図に示すように、芯材層９０を板材９２で挟みこんで積層構造化したものが採用されている。軽くするために板材９２はアルミニウム合金で作られており、芯材層９０には無機材料または有機材料からなる発泡体が使われる。芯材層９０と板材９２は例えばエポキシ系接着剤のような接着剤層９１によって接着され、一体化している。芯材層９０に発泡体を用いているので、軽量でかつ断熱性が高い特徴がある。
【０００３】
ところが、従来の壁板または天井板は車内騒音が大きい問題点があった。車内騒音の発生要因は大まかに言うと２種類あって、一つは走行中の車両や駆動装置からの振動が伝わり、壁板や天井板を振動させて放射音を発生するものである。他の一つは客室の外で発生した騒音が壁板や天井板を透過する音（透過音）である。これらの放射音や透過音は客室へ伝わって騒音となり、乗客に不快感を与える要因になる。従来の壁板や天井板は芯材層９０が振動伝達経路となり、車両からの振動が減衰されること無くそのまま伝播してしまい、放射音が特に大きい。
【０００４】
そこで低騒音化の対策が検討された。一般に板は厚いほど、また、重量があるほど防音性能が向上する。その理由は、板が厚いほど透過音が減り、重量があるほど固体振動が伝播しにくくなって放射音が低減するからである。そのため芯材層や板材を厚くしたり、重くしたりする対策方法が考えられたが、重量増加に繋がるので車両全面には採用されていない。
【０００５】
上記問題を解決するため下記特許文献１には、サンドイッチパネルを用いた防音構造が開示されている。このサンドイッチパネルの連結部には制振材が設けられており、振動を抑制できる構造とされている。ところがこのような防音構造を用いても、必ずしも十分に放射音を低減できるわけではなかった。
【特許文献１】特開２００１−２７８０３９号公報
【発明の開示】
【発明が解決しようとする課題】
【０００６】
これまで説明したように、軽量の壁板や天井板は防音性に劣る。すなわち、芯材を改良するだけでは限界があり、軽量性および防音性を同時に改善することは難しい。また、断熱性を上げる要求も依然としてあり、これらの特性を備えた壁板や天井板に関する研究が、本出願人において長年続けられてきた。
【０００７】
本発明は上述のような事情を背景になされたものであって、特に、重量増を最小限に押さえ、高い断熱性があり、騒音の低減が可能な鉄道車両の壁板または天井板を提供することを課題とする。
【課題を解決するための手段】
【０００８】
上記課題を解決するために本発明は、鉄道車両の壁板または天井板であって、板状かつ樹脂製の芯材層と、芯材層の両面に配置された第一及び第二の板材と、芯材層と第一及び第二の板材とをそれぞれ接着するとともに、第一の板材と芯材層との接合部及び、第二の板材と芯材層との接合部との少なくとも一方の接合部に介在し、ヤング率が０．５ＭＰａ以上１０ＭＰａ以下であり、かつ厚さが０．１ｍｍ以上２．０ｍｍ以下である弾性材層と、を含み、弾性材層が振動低減層として機能し、かつ弾性材層が接着層を兼ねていることを特徴とする。
【０００９】
また、上記課題を解決するために本発明は、鉄道車両の壁板または天井板であって、板状かつ発泡樹脂製の芯材層と、芯材層の両面に配置された第一及び第二の板材と、芯材層と第一及び第二の板材とをそれぞれ接着するとともに、第一の板材と芯材層との接合部及び、第二の板材と芯材層との接合部との少なくとも一方の接合部に介在し、ヤング率が０．５ＭＰａ以上１０ＭＰａ以下であり、かつ厚さが０．１ｍｍ以上２．０ｍｍ以下である弾性材層と、を含み、弾性材層が振動低減層として機能し、かつ弾性材層が接着層を兼ねていることを特徴とする。
【００１０】
本発明は芯材層と板材との間にある弾性材層に振動低減効果をもたせようとするものである。その結果、壁や天井からの放射音を低減することが可能となる。弾性材層はヤング率が０．５ＭＰａ以上１０ＭＰａ以下であり、かつ厚さが０．１ｍｍ以上２．０ｍｍ以下であると効果的に放射音を低減することができる。
【００１１】
また、本発明は弾性材層が芯材層と板材との接着層を兼ねている。すなわち、芯材層の両面に第一及び第二の板材を配置して、これらを弾力性のある厚い接着剤で接着することで、接着層が弾性材層となるようにする。ここで使用可能な接着剤とは例えばヤング率が０．５ＭＰａ以上１０ＭＰａ以下の範囲にあるウレタン系、シリコン系、変性シリコン系、エポキシ系、アクリル系、天然ゴム系、合成ゴム系の接着剤である。このような接着剤はヤング率が１０ＭＰａを超える比較的硬い接着剤に比べて振動をより効果的に減衰でき、放射音の低減効果が高いため好適である。従来の壁板や天井板は図９に示すように、芯材層９０と板材９２が硬い接着剤層９１で接着されているので、十分な振動低減効果を示さなかった。それに対して、本発明では弾性接着剤を使用しているので、従来の壁板または天井板よりも振動低減効果が高く、騒音を減少させることができる。
【００１２】
また、弾性材層は、芯材層と第一及び第二の板材とをそれぞれ接着するとともに、第一の板材と芯材層との接合部および、第二の板材と芯材層との接合部との少なくとも一方の接合部に介在している。すなわち、芯材層と第一の板材とを接着する弾性材層と、芯材層と第二の板材とを接着する弾性材層が、両方ともヤング率０．５ＭＰａ以上１０ＭＰａ以下で、かつ厚さ０．１ｍｍ以上２．０ｍｍ以下であると、これら２つの弾性材層が両方とも振動の減衰に寄与するので、放射音の低減効果が高い。どちらか一方の弾性材層だけが上記ヤング率および厚さの条件を満たすようにする事も可能である。その場合は放射音の低減効果を示すものの、若干、効果が低くなる。
【００１３】
芯材層に弾性材料を使用すれば、芯材層が上記弾性材層とともに、走行車両からの振動低減に寄与する。その結果、いっそう放射音を低減でき、騒音を下げることができる。芯材層には適度な圧縮強度と軽量性、そして断熱性が要求されており、このような要求を満たす材料としては、弾性発泡樹脂が好適に使用できる。弾性発泡樹脂とは合成樹脂に発泡剤を添加したり、機械的に泡立てたりして多数の気泡を内部に作った弾性樹脂のことであり、気泡を含むので軽く断熱性がある。発泡倍率は例えば５倍〜３０倍程度であるとよい。特にポリプロピレンの発泡樹脂は軽量で、好適である。他にはアクリル、ポリエチレン、天然ゴム、クロロプレンゴムやＳＢＲ（スチレンブタジエンゴム）又はＥＰＤＭ（エチレンプロピレンジエンゴム）等の合成ゴム、ウレタン、木材、フェノール樹脂、塩化ビニルなどもよい。また、壁板または天井板としての強度を保つために、芯材層の圧縮強度は０．１ＭＰａ以上であることが望ましい。０．１ＭＰａ未満では壁板または天井板として必ずしも十分な強度とは言えない。
【００１４】
板材は高剛性および難燃性を備え、軽量な材料を用いるのが望ましく、具体的にはアルミニウムなどの金属や、メラミン樹脂、ポリイミド樹脂、ポリアミド樹脂、ポリイミドアミド樹脂などの耐熱性樹脂がよい。金属板は不燃性なので特に良く、中でもアルミニウム製の金属板は軽量であり、板材に好適に使用できる。
【００１５】
以上のように、本発明では芯材層の両面にそれぞれ弾性材層を介して第一、第二の板材を配置し、接着することによって、この弾性材層によって振動低減効果を奏させるものである。芯材層は弾力性および断熱性のある物質で形成されて、騒音低減効果と断熱効果を保持しつつ、弾性材層で防振性を高めることによって、芯材層と弾性材層のダブル効果で騒音を低減することができる。しかも、その弾性材層は芯材と第一、第二の板材の接着機能を兼ねるので、別途専用の弾性板材が省略できる。仮に専用の弾性板材を配置する場合は図５の断面図に示すように、芯材層５１と弾性板材５３との間の接着剤層５４と、弾性板材５３と板材５２との間の接着剤層５４とが二重に必要で、両面で同じ構造とすれば、２枚の弾性板材５３と４層の接着剤層５４が必要で、板材５２を合わせれば全体で９層を有する構造となってしまう。これに対して、本発明では図１の断面図に示す構造となり、専用の弾性板材が不要で、弾性材層２が接着剤層を兼ねるので、芯材層１と第一及び第二の弾性材層２と、第一及び第二の板材３とのわずか５層の単純な構造でありながら、断熱性と防振性の両立を実現したものである。これによって、鉄道車両の壁板または天井板に求められる断熱性、高防振性及び安価という３つの条件を満たすトリプル効果を奏する。また、芯材を弾性発泡樹脂とすることで断熱性を確保しつつ一層の軽量化が達成でき、これによって断熱性、高防振性、安価および軽量化という４つの顕著な効果を同時に奏することができる。
【発明の効果】
【００１６】
以上説明したように本発明によれば、芯材層の両面にヤング率が０．５ＭＰａ以上１０ＭＰａ以下で、かつ厚さが０．１ｍｍ以上２．０ｍｍ以下の弾性材層を有するので、走行車両からの振動を弾性材層が広い周波数帯に渡って効率的に減衰でき、客室への騒音を有効に下げることができる。さらに、芯材層に弾性発泡樹脂材料を使用しているので上記弾性材層とともに振動を減衰でき、いっそう放射音を低減できるとともに、軽量で断熱性に優れた壁板または天井板を提供することができる。また、芯材層に０．１ＭＰａ以上の圧縮強度を有する弾性発泡樹脂材料を使用しているので、鉄道車両の壁板または天井板として十分な剛性を持たせることができる。
【発明を実施するための最良の形態】
【００１７】
以下、本発明の実施形態を、図面を参照して説明する。
図1は鉄道車両の壁板または天井板の構造を示す概略断面図である。この壁板または天井板は、板状かつ樹脂製の芯材層１の両面に２枚の板材３が配置された構造を有する。そして芯材層１と各板材３の間には弾性材層２があり、弾性材層２が接着層を兼ねている。弾性材層２はヤング率が０．５ＭＰａ以上１０ＭＰａ以下であり、かつ厚さが０．１ｍｍ以上２．０ｍｍ以下である。このようにすると弾性材層２は振動低減層として機能するので、客室には振動があまり伝わらず、放射音を低減できる。弾性材層は、ウレタン系、シリコン系、変性シリコン系、エポキシ系、アクリル系、天然ゴム系、合成ゴム系の接着剤が好適に使用でき、中でもウレタン系接着剤が最も好ましい。
【００１８】
芯材層は弾性材料で構成されていると、上述した弾性材層とともに振動を減衰するので、客室への放射音をいっそう低減することが可能となる。芯材層は特にポリプロピレンの発泡樹脂を使用するのがよく、その圧縮強度は０．１ＭＰａ以上であることが望ましい。圧縮強度が０．１ＭＰａ未満では壁板または天井板として必ずしも十分な強度とは言えない。発泡樹脂の発泡倍率は５倍〜１０倍が望ましい。発泡倍率が５倍未満だと密度が高くなり、必ずしも十分な軽量化を達成できない場合がある。また、発泡倍率が１０倍を超えると圧縮強度が低くなり、壁板または天井板として必ずしも十分な強度が得られない場合がある。アクリル、ポリエチレン、天然ゴム、クロロプレンゴムやＳＢＲ（スチレンブタジエンゴム）又はＥＰＤＭ（エチレンプロピレンジエンゴム）等の合成ゴム、ウレタン、木材、フェノール樹脂、塩化ビニルなども芯材層として好適に使用できる。
【００１９】
弾性材層のヤング率および厚さの臨界的意味を説明する。弾性材層のヤング率が０．５ＭＰａ未満になると柔らかすぎて、壁または天井として使用した場合、必ずしも十分な強度が保てない。１０ＭＰａを超えると硬すぎて、走行車両からの振動を十分に減衰できず、放射音の低減効果が低くなる。より望ましいヤング率は２ＭＰａ以上５ＭＰａ以下である。
【００２０】
弾性材層の厚さが０．１ｍｍ未満になると走行車両からの振動が必ずしも十分に減衰することなく伝播してしまい、放射音を十分に低減できない。２．０ｍｍを超えると全体の重量が重くなる問題が生じ、軽量化と両立しにくくなる。より望ましい厚さは０．３ｍｍ以上０．５ｍｍ以下である。なお、上記厚さとは弾性材層１層分の厚さのことである。
【００２１】
板材３、弾性材層２、芯材層１の厚さの、望ましい比率を説明する。板材３の厚さをＡ、弾性材層２の厚さをＢ、芯材層１の厚さをＣとする。Ａ／Ｂは０．２以上３０以下とすることが望ましい。Ａ／Ｂが３０を超えると板材３が厚すぎて全体の重量が重くなる問題が生じ、必ずしも十分な軽量化ができない場合がある。Ａ／Ｂが０．２未満だと板材３の厚さが薄すくなりすぎて、板材３が十分な強度を保ちにくくなる。また、Ｂ／Ｃは０．００３以上０．３５以下とすることが望ましい。Ｂ／Ｃが０．３５を超えると弾性材層２が厚すぎる問題が生じ、必ずしも十分な軽量化ができない場合がある。Ｂ／Ｃが０．００３未満だと弾性材層２の厚さが薄すぎて、接着強度が低くなる場合がある。
【００２２】
本発明においては、芯材層１と第一の板材３を接着する弾性材層２と、芯材層１と第二の板材３を接着する弾性材層２が、両方ともヤング率が０．５ＭＰａ以上１０ＭＰａ以下であり、かつ厚さが０．１ｍｍ以上２．０ｍｍ以下であることが最も望ましい。弾性材層２が両方とも上記条件を満たすと、それぞれの弾性材層２が振動低減層として機能し、放射音を効果的に低減することができる。どちらか一方の弾性材層２だけが上記条件を満たすようにする事も可能である。その場合は、片方の弾性材層２だけが振動低減層として機能するので、放射音の低減効果はあるものの、若干、効果が低くなる。
【００２３】
本発明の壁板または天井板を鉄道車両に設置する形態について説明する。図６は鉄道車両の客室の概略断面図である。鉄道車両は図に示すように、台枠６１、側構６２、妻部６３、屋根構６４を含み、台枠６１の上に床受け６５を介して床板６０が固定されている。側構６２の内面には壁板Ｗが設置され、屋根構６４の内面には天井板Ｃが設置されており、それぞれ客室の側壁および天井を構成する。側構６２および壁板Ｗには図示しない車窓が取り付けられ、天井板Ｃにも照明器具６８が所定の位置に取り付けられている。台枠６１と床板６０の間の空間には空調ダクト６９が設置されており、該空調ダクト６９によって客室内の空調が行われる。なお、図６では壁板Ｗおよび天井板Ｃはそれぞれ側構６２および屋根構６４と直接接触して設置されているが、間隔を空けて設置する場合もある。以上説明したように、本発明は客室の側壁および天井を構成するものである。台枠６１の下部には図示しない駆動装置が設置されており、鉄道車両が走行する間は駆動装置や車両本体、または車輪などから振動が発せられ、壁板Ｗまたは天井板Ｃから伝わって騒音となるが、本発明においては上述したように、壁板Ｗまたは天井板Ｃに振動を低減する工夫がなされているので、乗客が感じる騒音が少ない。また、断熱性の高い芯材を用いているので、客室の空調に必要な電力が少なくてすむ。
【００２４】
壁板Ｗは図７（ａ）および図７（ｂ）に示す箇所にも用いられる。図７（ａ）は鉄道車両の横断面図であり、図に示すように、客室とデッキとの境は２枚の壁板Ｗから構成されており、壁板Ｗの間には自動ドアが組み込まれている。一方、妻部６３の内壁面は壁板Ｗが設置されている。妻部６３の中央には貫通路があり、隣の車両への移動に使われる。これらデッキ−客室の境界、または妻部の内壁面は例えば図７（ｂ）に示す構造を有する。壁面は周辺部がアルミニウム等から成る複数の周縁部材７１で補強されており、壁面の中央には隣の車両に移動するための貫通路または自動ドアが形成されている。これら壁板Ｗおよび周縁部材７１の表面には図示しない化粧板が貼られ、客室またはデッキから直接、見えないようにされている。
【００２５】
図８は客室の両端における、壁板Ｗと周縁部材７１との接合部の一実施形態を示す概略断面図である。壁板Ｗの枠は中空のフレーム８２からなり、フレーム８２内部に空洞８３を含むことで、軽量化とコストダウンが図られている。板材３が芯材１およびフレーム８２を挟むとともに、一方の板材３（図では下側）が側面から突出して、周縁部材７１との接合部８５を構成する。フレーム８２と板材３は構造用テープ又はフレーム用接着剤８４で接着されている。周縁部材７１の厚さは壁板Ｗと略同じであり、接合部８５と合うように段差がつけられている。周縁部材７１と壁板Ｗは両面が揃い、面一となるように接合され、必要な箇所に金属製のネジ８１が打ち込まれて固定される。
【実施例】
【００２６】
本発明の効果を確認するために加振試験を行った。実験に用いる板として、下記表１に示す実施例１〜４および比較例１を作成した。
【００２７】
【表１】
0003615216.tif 000002
【００２８】
実施例１、２および比較例１の製造条件について以下に説明する。まず、アクリル系発泡樹脂からなり、圧縮強度が２ＭＰａで厚さ１９ｍｍの芯材層を用意して、その両主表面にヤング率が３ＭＰａのウレタン系接着剤を塗布した。その芯材にアルミニウム合金製で厚さ１．０ｍｍの板材を貼り合わせて５００ｇ／ｃｍ２でプレスした。このようにして弾性材層（接着剤層）の厚さが０．３ｍｍの板を作成して、本発明に属する実施例１とした。全体の大きさは４３０ｍｍ×４３０ｍｍとした。
【００２９】
次に、ポリプロピレン製の発泡樹脂からなり、圧縮強度が０．２ＭＰａで厚さ１９ｍｍの芯材層を用いて、本発明に属する実施例２を作成した。芯材層以外の製造条件は実施例１と同じである。また、図５の構造を有する従来の板を用意して、本発明外の比較例１とした。
【００３０】
試験装置を図２に示す。試験対象となる板を弾性支持体２８によって吊り下げ、その試験対象の下面に連接棒２６を介して加振器２１を配置した。加振器２１はノイズ発生器２２から信号が送られ、それに応じて様々な周波数の振動Ｖを発生する。振動Ｖは連接棒２６を通って試験対象に伝わり、放射音を発生させる。試験対象の上方に配置したインテンシティマイク２４により放射音を測定し、それをハイパスフィルターを介して直接積分型インテンシティ計２５へ導いた。そして測定値をコンピュータに記憶した。
【００３１】
測定結果を図３（ａ）のグラフに示す。グラフから明らかなように、実施例１および実施例２は１００Ｈｚ〜４ｋＨｚに渡って際立ったピークが見られないとともに、オーバーオール値が比較例１よりも低減した。この結果から弾性材層を有する実施例１および実施例２は放射音量の低減効果が高いことが確認できる。また、実施例１と実施例２を比較すると、実施例２の方が放射音を低減しやすいことが分かる。これは芯材層のヤング率が異なるためである。ヤング率が低い芯材層を有する実施例２は、芯材層と弾性材層がともに振動の低減に寄与するので、放射音を低減しやすい。
【００３２】
次に、弾性材層のヤング率の、放射音量に対する影響を確認するための実験を行った。そのために、上記表１に示す実施例３を作成した。実施例３はアクリル系発泡樹脂製の芯材層を用意し、その両主表面にヤング率が０．８ＭＰａのウレタン系接着剤を塗布して、アルミニウム合金製の板材を貼り合せたもので、本発明に属する。接着剤以外の製造条件は実施例１と同じとした。実施例１および実施例３の放射音を測定した結果を図３（ｂ）に示す。この結果から、接着剤層のヤング率が低い実施例３の方が放射音を低減しやすいことが確認できる。
【００３３】
次に、片面にのみ弾性材層を形成した場合の比較実験を行った。そのために、上記表１に示す実施例４を作成した。実施例４は芯材層と一方の板材を厚さ０．３ｍｍ、かつヤング率３ＭＰａの弾性材層で接着し、他方の板材をヤング率３０ＭＰａの硬質接着剤で接着したもので、本発明に属する。接着剤層以外の条件は実施例１と同じとした。一方、上述の比較例１は両面ともヤング率３０ＭＰａの硬質接着剤で接着されており、この比較例１と、実施例１、実施例４を使って放射音の測定を行った。その測定結果を図４に示す。図のオーバーオール値から明らかなように、放射音が大きい順に比較例１、実施例４、実施例１となっており、両面とも弾性材層にした実施例１が最も放射音量が低く、片面だけ弾性材層にした実施例４がその次に低い。比較例１、実施例４、実施例１のオーバーオール値から、弾性材層が０層、１層、２層と増えるごとに放射音の低減効果が高くなることが分かる。
【図面の簡単な説明】
【００３４】
【図１】鉄道車両の壁板または天井板の一実施形態を示す概略断面図。
【図２】加振試験に用いた装置の構成図。
【図３】加振試験の結果を示すグラフ。
【図４】片面のみ弾性材層を有する壁板または天井板の、加振試験の結果を示すグラフ。
【図５】仮に専用の弾性板材を使用した場合の断面図である。
【図６】鉄道列車の一実施例を示す断面図。
【図７】同じく（ａ）横断面図および（ｂ）客室−デッキの境界または妻部の内壁面を示す断面図。
【図８】壁板の接合部の一実施形態を示す断面図。
【図９】従来の壁板または天井板を示す断面図。
【符号の説明】
【００３５】
１    芯材層
２    弾性材層
３    板材
５３    専用の弾性板材
５４    専用の接着層
Ｃ    天井板
Ｖ    振動
Ｗ    壁板
【要約】
【課題】  重量増を最小限に押さえ、高い断熱性があり、騒音の低減が可能な鉄道車両の壁板または天井板を提供する。
【解決手段】  鉄道車両の壁板または天井板であって、板状かつ樹脂製の芯材層と、芯材層の両面に配置された第一及び第二の板材と、芯材層と第一及び第二の板材とをそれぞれ接着するとともに、第一の板材と芯材層との接合部及び、第二の板材と芯材層との接合部との少なくとも一方の接合部に介在し、ヤング率が０．５ＭＰａ以上１０ＭＰａ以下であり、かつ厚さが０．１ｍｍ以上２．０ｍｍ以下である弾性材層と、を含む。弾性材層が振動低減層として機能し、かつ弾性材層が接着層を兼ねるため、構造が簡単でありながら軽量、高断熱性、防振の効果を発揮する。
【選択図】図１
【図１】
0003615216.tif 000003
【図２】
0003615216.tif 000004
【図５】
0003615216.tif 000005
【図６】
0003615216.tif 000006
【図７】
0003615216.tif 000007
【図８】
0003615216.tif 000008
【図９】
0003615216.tif 000009
【図３】
0003615216.tif 000010
【図４】
0003615216.tif 000011